(57)【要約】【課題】ユーザーに更なる快適な臥床環境を提供する。【解決手段】主に圧力制御装置が少なくとも一つの充排気ユニットに接続され、且つ少なくとも一つの充排気ユニットとエアークッションベッドにおける複数のエアークッションユニットに接続されることにより、前記圧力制御装置が前記充排気ユニットで前記エアークッションベッドにおける前記複数のエアークッションユニットのそれぞれの圧力値を制御でき、また、前記圧力制御装置が操縦装置又は資料処理装置に接続され、前記操縦装置モニタリングによって前記圧力制御装置を操縦し、前記資料処理装置が前記圧力制御装置を分析し、或いは前記管理装置によって前記資料処理装置が分析されたデータに基づいて前記圧力制御装置をモニタリングして操縦し、有効に前記エアークッションベッドの各部位の圧力値を制御できる医療用エアークッションベッドのスマート制御システムを提供する。【選択図】図１
2020068877.tif 000002
【特許請求の範囲】
【請求項１】
それぞれ複数の充排気ユニットに接続されることによって充気又は排気を独立で行え、且ついずれも現時点の圧力値を測定するための圧力感測ユニットを有する複数のエアークッションユニットが設けられるエアークッションベッドと、
前記複数の充排気ユニットのそれぞれに接続され、前記複数の充排気ユニットを介して前記複数のエアークッションユニットごとに気体を供給する供気装置と、
前記複数の充排気ユニット及び前記複数の圧力感測ユニットに接続され、前記充排気ユニットの動きを制御して前記複数のエアークッションユニットの圧力値を調整し、且つ前記複数のエアークッションユニットの圧力値に基づいて圧力モニタリング情報を作成し、前記圧力モニタリング情報を自身における基本情報とともに他の装置に発送する圧力制御装置と、
前記圧力制御装置に接続され、前記基本情報及び前記圧力モニタリング情報を取り込むと共に、前記圧力モニタリング情報に基づいて圧力管理情報を作成する資料処理装置とを含み、
前記圧力制御装置は、前記圧力管理情報に基づいて前記充排気ユニットの圧力値を調整することを特徴とするエアークッションベッドの制御システム。
【請求項２】
前記圧力制御装置は、
設定ユニットに接続され、ユーザーが前記設定ユニットを介して設定する基本情報及び前記圧力感測ユニットが感知した前記複数のエアークッションユニットの現時点の圧力状態を受けて、前記基本情報を他の装置に伝送する圧力制御伝送ユニットと、
前記圧力感測ユニットが感知した前記複数のエアークッションユニットの現時点の圧力状態を受けるように前記圧力制御伝送ユニットに接続され、且つ前記エアークッションベッドに対する前記充排気ユニットの充気又は排気を制御するように前記充排気ユニットに接続される圧力制御ユニットと、
前記圧力制御ユニットに接続されることによって前記複数のエアークッションユニットの現時点の圧力状態を受けると共に、前記複数のエアークッションユニットの圧力状態に基づいて圧力モニタリング情報を作成して前記圧力制御ユニットに発送するモニタリングユニットとを更に含み、
前記圧力制御ユニットは、前記圧力モニタリング情報を前記圧力制御伝送ユニットに伝送し、前記圧力制御伝送ユニットが更に前記圧力モニタリング情報を他の装置に伝送する請求項１に記載のエアークッションベッドの制御システム。
【請求項３】
前記圧力制御装置に接続され、前記圧力制御装置を介して前記圧力制御ユニットに接続される前記充排気ユニットを操縦して前記複数のエアークッションユニットのそれぞれの圧力値を調整する操縦装置を更に含む請求項１に記載のエアークッションベッドの制御システム。
【請求項４】
前記操縦装置は、
設定情報を前記圧力制御伝送ユニットに伝送する操縦伝送ユニットと、
操作者の設定によって前記設定情報を作成する設定ユニットと、
前記設定ユニットに接続されて前記設定情報を受けると共に、前記操縦伝送ユニットに接続されて前記設定情報を前記操縦伝送ユニットに伝送する制御ユニットとを更に含み、
前記圧力制御装置は、前記設定情報に基づいて前記複数の充排気ユニットの圧力値を制御する請求項３に記載のエアークッションベッドの制御システム。
【請求項５】
前記設定ユニットは、使用者の操作によって前記設定情報を作成する複数の機能設定部を更に含み、
前記設定ユニットにおいて、前記機能設定部の周りに、少なくとも一つの状態表示部が
設けられ、前記状態表示部は、前記エアークッションベッドの現時点の設定状態を表示する請求項４に記載のエアークッションベッドの制御システム。
【請求項６】
前記資料処理装置は、
前記圧力制御伝送ユニットに接続されて前記基本情報及び前記圧力モニタリング情報を取る資料処理伝送ユニットと、
前記資料処理伝送ユニットに接続されて前記基本情報及び前記圧力モニタリング情報を取る資料処理制御ユニットと、
前記資料処理制御ユニットに接続されて前記基本情報及び前記圧力モニタリング情報を取る資料分析ユニットを更に含み、
前記資料分析ユニットは、前記圧力モニタリング情報に基づいて計算を行って前記圧力管理情報を作成し、更に前記圧力管理情報を前記資料処理制御ユニットを介して前記資料処理伝送ユニットに伝送し、次いで前記資料処理伝送ユニットから前記圧力管理情報を前記圧力制御装置に伝送する請求項４に記載のエアークッションベッドの制御システム。
【請求項７】
前記資料処理装置は、
前記資料処理制御ユニット及び資料処理伝送ユニットに接続されて前記圧力モニタリング情報を受けるモニタリング制御ユニットを更に含み、
前記モニタリング制御ユニットにおいて、前記複数のエアークッションユニットのモニタリング閾値が設定されており、前記複数のエアークッションユニットのいずれか一つの前記圧力モニタリング情報における圧力値がモニタリング閾値を下回る場合、前記モニタリング制御ユニットはアラーム信号を作成し、前記資料処理伝送ユニットが前記アラーム信号を他の装置に発送する請求項６に記載のエアークッションベッドの制御システム。
【請求項８】
前記資料分析ユニットは、
各時点における前記圧力モニタリング情報からの圧力変化量を記録し、同じ圧力変化区間における複数の前記圧力モニタリング情報が特定の時間帯での変化を分析し、前記エアークッションベッドが異なる時間帯での使用状態を作成する使用分析モジュールを更に含む請求項６に記載のエアークッションベッドの制御システム。
【請求項９】
それぞれ複数の充排気ユニットに接続されることによって充気又は排気を独立で行え、且ついずれも現時点の圧力値を測定するための圧力感測ユニットを有する複数のエアークッションユニットが設けられるエアークッションベッドと、
前記複数の充排気ユニットのそれぞれに接続され、前記複数の充排気ユニットを介して前記複数のエアークッションユニットごとに気体を供給する供気装置と、
前記複数の充排気ユニット及び前記複数の圧力感測ユニットに接続され、前記充排気ユニットの動きを制御して前記複数のエアークッションユニットの圧力値を調整し、且つ前記複数のエアークッションユニットの圧力値に基づいて圧力モニタリング情報を作成し、前記圧力モニタリング情報を自身における基本情報とともに他の装置に発送する圧力制御装置と、
前記圧力制御装置に接続され、前記基本情報及び前記圧力モニタリング情報を取り込むと共に、前記圧力モニタリング情報に基づいて圧力管理情報を作成する資料処理装置と、
前記基本情報と、圧力モニタリング情報と、圧力管理情報とを受ける情報伝送モジュールと、前記基本情報内所設の位置情報を取り込んで管理装置のマップ表示インターフェースに表示させる位置表示モジュールと、前記基本情報内所設のユーザーの基本データを取り込んで管理装置の基本データインターフェースに表示させる情報表示モジュールを有し、前記資料処理装置に接続される管理装置とを含み、
前記圧力制御装置は、前記圧力管理情報に基づいて前記充排気ユニットの圧力値を調整するエアークッションベッドの制御システム。
【請求項１０】
前記資料処理装置は、
前記圧力制御伝送ユニットに接続されて前記基本情報及び前記圧力モニタリング情報を取る資料処理伝送ユニットと、
前記資料処理伝送ユニットに接続されて前記基本情報及び前記圧力モニタリング情報を取る資料処理制御ユニットと、
前記資料処理制御ユニットに接続されて前記基本情報及び前記圧力モニタリング情報を取り、前記圧力モニタリング情報に基づいて計算を行って前記圧力管理情報を作成し、更に前記圧力管理情報を前記資料処理制御ユニットを介して前記資料処理伝送ユニットに伝送し、次いで前記資料処理伝送ユニットから前記圧力管理情報を前記圧力制御装置に伝送する資料分析ユニットと、を更に含む請求項９に記載のエアークッションベッドの制御システム。
【請求項１１】
前記資料処理装置は、
前記資料処理制御ユニット及び資料処理伝送ユニットに接続されて前記圧力モニタリング情報を受けるモニタリング制御ユニットを更に含み、
前記モニタリング制御ユニットにおいて、前記複数のエアークッションユニットのモニタリング閾値が設定されており、前記複数のエアークッションユニットのいずれか一つの前記圧力モニタリング情報における圧力値がモニタリング閾値を下回る場合、前記モニタリング制御ユニットはアラーム信号を作成し、前記資料処理伝送ユニットが前記アラーム信号を他の装置に発送する請求項１０に記載のエアークッションベッドの制御システム。
【請求項１２】
前記資料分析ユニットは、
各時点における前記圧力モニタリング情報からの圧力変化量を記録し、同じ圧力変化区間における複数の前記圧力モニタリング情報が特定の時間帯での変化を分析し、前記エアークッションベッドが異なる時間帯での使用状態を作成する使用分析モジュールを更に含む請求項１０に記載のエアークッションベッドの制御システム。
【請求項１３】
前記管理装置における管理制御モジュールは、前記エアークッションベッドを管理するための傾き制御モード、充排気循環モード、通常介護モード、セラピーモード又はスリープモード、ロックモード、パワースイッチ、空気漏れアラームの少なくとも一つ又は二つ以上の組み合わせを提供する請求項９に記載のエアークッションベッドの制御システム。
【発明の詳細な説明】
【技術分野】
【０００１】
本発明は、医療用エアークッションベッドのスマート制御システムに関し、特に圧力出力制御装置が充排気ユニットによってエアークッションベッドにおける圧力値を制御するスマート制御システムに関する。
【背景技術】
【０００２】
テクノロジーの発展につれて、人々が病気になる又はケガをするとき、治療を行うためによく病院又は医療機関に行くことがあるが、より重い病気或いはケガがあると、長期間の治療又は観察を受けるために入院しなければいけない。
【０００３】
患者が治療又は観察のために入院する際、長い時間ベッドで休んで治療を受けるが、一般的なベッドマットは異なる人体部位によって適当な支持を提供できない一方で、自身内部の気体による圧力によってより適当な支持力をユーザーに提供するエアークッションが既に存在している。
【０００４】
しかし、長期間の臥床による褥瘡の発生という問題はエアークッションベッドで改善されるものの、人々の人体構造及び各部位の重量が異なっているので、上記エアークッションベッドは、ある特定の部位について適当な圧力で支持することができず、且つユーザーごとに差異を計算した後に適当な圧力で各部位を支持することもできないから、より好ましい臥床環境をユーザーに提供できない。したがって、これまでの欠点を改善するために、本発明者は医療用エアークッションベッドのスマート制御システムを発明し、上記の技術問題を改善する。
【発明の概要】
【発明が解決しようとする課題】
【０００５】
上記の問題を解決するために、本発明は、圧力制御装置で充排気ユニットを制御し、エアークッションベッドに対して充気又は排気を行うことによってエアークッションベッドにおける各エアークッションユニットの圧力値を制御するとともに、操縦装置で圧力制御装置をモニタリングしながら操作し、且つ資料処理装置でエアークッションベッドを分析してモニタリングする医療用エアークッションベッドのスマート制御システムを提供することを目的とする。
【課題を解決するための手段】
【０００６】
本発明は、それぞれ複数の充排気ユニットに接続されることによって充気又は排気を独立で行え、且ついずれも現時点の圧力値を測定するための圧力感測ユニットを有する複数のエアークッションユニットが設けられるエアークッションベッドと、
前記複数の充排気ユニットのそれぞれに接続され、前記複数の充排気ユニットを介して前記複数のエアークッションユニットごとに気体を供給する供気装置と、
前記複数の充排気ユニット及び前記複数の圧力感測ユニットに接続され、前記充排気ユニットの動きを制御して前記複数のエアークッションユニットの圧力値を調整し、且つ前記複数のエアークッションユニットの圧力値に基づいて圧力モニタリング情報を作成し、前記圧力モニタリング情報と自身における基本情報とを他の装置に発送する圧力制御装置と、
前記圧力制御装置に接続され、前記複数のエアークッションユニットの圧力値を調整するように、前記圧力制御装置を介して前記圧力制御ユニットに接続される前記充排気ユニットを操縦する操縦装置と、
前記圧力制御装置に接続され、前記基本情報及び前記圧力モニタリング情報を取り込む
と共に、前記圧力モニタリング情報に基づいて圧力管理情報を作成する資料処理装置とを含み、
前記圧力制御装置は、前記圧力管理情報に基づいて前記充排気ユニットの圧力値を調整することを特徴とするエアークッションベッドの制御システムを提供している。
【０００７】
前記圧力制御装置は、設定ユニットに接続され、ユーザーが前記設定ユニットを介して設定する基本情報及び前記圧力感測ユニットが感知した前記複数のエアークッションユニットの現時点の圧力状態を受けて、前記基本情報を他の装置に伝送する圧力制御伝送ユニットと、
前記圧力感測ユニットが感知した前記複数のエアークッションユニットの現時点の圧力状態を受けるように前記圧力制御伝送ユニット接続され、且つ前記エアークッションベッドに対する前記充排気ユニットの充気又は排気を制御するように前記充排気ユニットに接続される圧力制御ユニットと、
前記圧力制御ユニットに接続されて前記複数のエアークッションユニットの現時点の圧力状態を受けると共に、前記複数のエアークッションユニットの圧力状態に基づいて圧力モニタリング情報を作成して前記圧力制御ユニットに発送するモニタリングユニットとを更に含むことが好ましく、また、前記圧力制御ユニットは、前記圧力モニタリング情報を前記圧力制御伝送ユニットに伝送し、前記圧力制御伝送ユニットが更に前記圧力モニタリング情報を他の装置に伝送する。
【０００８】
前記操縦装置は、設定情報を前記圧力制御伝送ユニットに伝送する操縦伝送ユニットと、
操作者の設定に基づいて前記設定情報を作成する設定ユニットと、
前記設定ユニットに接続されて前記設定情報を受けると共に、前記操縦伝送ユニットに接続されて前記設定情報を前記操縦伝送ユニットに伝送する制御ユニットとを更に含むことが好ましく、
また、前記圧力制御装置は、前記設定情報に基づいて前記複数の充排気ユニットの圧力値を制御する。
【０００９】
前記設定ユニットは、使用者の操作によって前記設定情報を作成する複数の機能設定部を更に含むことが好ましく、
また、前記設定ユニットにおいて、前記複数の機能設定部の周りに、少なくとも一つの状態表示部が設けられ、前記状態表示部は、前記エアークッションベッドの現時点の設定状態を表示する。
【００１０】
前記資料処理装置は、前記圧力制御伝送ユニットに接続されて前記基本情報及び前記圧力モニタリング情報を取る資料処理伝送ユニットと、
前記資料処理伝送ユニットに接続されて前記基本情報及び前記圧力モニタリング情報を取る資料処理制御ユニットと、
前記資料処理制御ユニットに接続されて前記基本情報及び前記圧力モニタリング情報を取る資料分析ユニットを更に含むことが好ましく、
また、前記資料分析ユニットは、前記圧力モニタリング情報に基づいて計算を行って前記圧力管理情報を作成し、更に前記圧力管理情報を前記資料処理制御ユニットを介して前記資料処理伝送ユニットに伝送し、次いで前記資料処理伝送ユニットから前記圧力管理情報を前記圧力制御装置に伝送する。
【００１１】
前記資料処理装置は、前記資料処理制御ユニット及び資料処理伝送ユニットに接続されて前記圧力モニタリング情報を受けるモニタリング制御ユニットを更に含むことが好ましく、前記モニタリング制御ユニットにおいて、前記複数のエアークッションユニットのモニタリング閾値が設定されており、前記複数のエアークッションユニットのいずれか一つ
の前記圧力モニタリング情報における圧力値がモニタリング閾値を下回る場合、前記モニタリング制御ユニットはアラーム信号を作成し、前記資料処理伝送ユニットが前記アラーム信号を他の装置に発送する。
【００１２】
前記資料分析ユニットは、各時点における前記圧力モニタリング情報からの圧力変化量を記録し、同じ圧力変化区間における複数の前記圧力モニタリング情報が特定の時間帯での変化を分析し、前記エアークッションベッドが異なる時段時間帯での使用状態を作成する使用分析モジュールを更に含むことが好ましい。
【００１３】
本発明のエアークッションベッドの制御システムは、前記資料処理装置に接続され、且つ前記基本情報と、圧力モニタリング情報と、圧力管理情報とを受ける情報伝送モジュールを有する管理装置と、
前記基本情報における位置情報を受け取って前記管理装置のマップ表示インターフェースに表示させる位置表示モジュールと、
前記基本情報におけるユーザーの基本データを受け取って前記管理装置の基本データインターフェースに表示させる情報表示モジュールを更に含むことが好ましい。
【００１４】
前記管理装置は、前記エアークッションベッドを管理するための傾き制御モード、充排気循環モード、通常介護モード、セラピーモード又はスリープモード、ロックモード、パワースイッチ、空気漏れアラームの少なくとも一つ又は二つ以上の組み合わせを提供する管理制御モジュールを含むことが好ましい。
【発明の効果】
【００１５】
これにより、エアークッションベッドにおける各部位の圧力値を有効に制御でき、ユーザーにより快適な臥床環境を提供する一方、介護者の負荷も低減できる。
【図面の簡単な説明】
【００１６】
【図１】本発明に係る装置における接続の関係を示す図である。
【図２】本発明に係るシステムにおける接続の関係を示す図である。
【図３】本発明に係るデータ伝送システムにおける接続の関係を示す図である。
【発明を実施するための形態】
【００１７】
以下は具体的な実施例で本発明に係る実施態様を説明するが、本発明が保護しようとする範囲を限定するものではない。
【００１８】
図１〜図３を参照しながら説明する。図１は、本発明に係る装置における接続の関係を示す図で、図２は、システムにおける接続の関係を示す図で、図３は、データ伝送システムにおける接続の関係を示す図である。
【００１９】
本発明は、圧力スマート制御システムを提供し、このうち、少なくとも一つの充排気ユニット２０に接続される圧力制御装置１０を含み、且つ前記少なくとも一つの充排気ユニット２０がエアークッションベッド３０における複数エアークッションユニット３１に接続されており、前記圧力制御装置１０は、前記充排気ユニット２０によって前記エアークッションベッド３０における前記複数のエアークッションユニット３１の圧力値を制御する。また、前記複数のエアークッションユニット３１は、エアークッションベッドにおける足部、腰部、頭部等の部位のエアークッションユニットであってもよい。
【００２０】
これにより、前記エアークッションベッド３０に対する前記充排気ユニット２０の充気又は排気を有効に制御するために、前記圧力制御装置１０は、圧力制御伝送ユニット１１を含む必要があり、前記圧力制御伝送ユニット１１は、基本情報入力ユニット４０及び圧
力制御ユニット１２に接続されることによって信号又は情報の受発信を行う。操作者（例えば看護師）が、前記基本情報入力ユニット４０を介してユーザー（例えば患者）の基本情報４１を入力すると、前記基本情報入力ユニット４０は前記基本情報４１を前記圧力制御伝送ユニット１１に伝送し、さらに、前記圧力制御伝送ユニット１１は前記基本情報４１を他の装置に発送する。なお前記基本情報入力ユニット４０は、独立な素子として前記圧力制御装置１０に設置されていてもよい。
【００２１】
前記圧力制御ユニット１２と、前記充排気ユニット２０と、少なくとも一つの圧力感測ユニット７０とが互いに接続されており、前記圧力感測ユニット７０は、前記複数のエアークッションユニット３１のそれぞれに設置され、前記複数のエアークッションユニット３１の現時点の圧力状態を測定する。前記圧力制御ユニット１２は、前記充排気ユニット２０を制御し、且つ前記圧力感測ユニット７０が測定した前記複数のエアークッションユニット３１の現時点の圧力状態を受ける。
【００２２】
更に、前記圧力制御装置１０はモニタリングユニット１３を含み、このモニタリングユニット１３は前記圧力制御ユニット１２に接続する。前記圧力感測ユニット７０が前記複数のエアークッションユニット３１の圧力を測定すると共に前記複数のエアークッションユニット３１の圧力状態を前記圧力制御ユニット１２に伝送し、さらに前記圧力制御ユニット１２が前記複数のエアークッションユニット３１の圧力状態を前記モニタリングユニット１３に伝送する。その後に、前記モニタリングユニット１３が前記複数のエアークッションユニット３１の圧力状態に基づいて圧力モニタリング情報１３１を作成して前記圧力制御ユニット１２に伝送し、次いで、前記圧力制御ユニット１２が前記圧力モニタリング情報１３１を前記圧力制御伝送ユニット１１に伝送し、更に前記圧力制御伝送ユニット１１を介して前記圧力モニタリング情報１３１を他の装置に伝送する。
【００２３】
前記圧力スマート制御システムは、操縦装置５０を更に含み、この操縦装置５０は、前記圧力制御装置１０に接続され、前記圧力制御ユニット１２に接続される前記充排気ユニット２０がエアークッションベッド３０に対する充気又は排気を操縦して前記複数のエアークッションユニット３１の圧力値を調整する。また、前記操縦装置５０は、操縦伝送ユニット５１を含み、この操縦伝送ユニット５１は、前記圧力制御伝送ユニット１１に接続され、これにより、前記操縦伝送ユニット５１と前記圧力制御装置１０が互いに情報の受発信を行う。
【００２４】
前記操縦装置５０は、前記操縦伝送ユニット５１に接続される制御ユニット５２と、前記制御ユニット５２に接続される設定ユニット５３を更に含み、前記設定ユニット５３は、操作者からの設定に基づいて設定情報５３１を作成して前記制御ユニット５２に伝送し、前記制御ユニット５２は、前記設定情報５３１を前記操縦伝送ユニット５１を介して前記圧力制御装置１０に伝送し、前記圧力制御装置１０は、前記設定情報５３１に基づいて、前記充排気ユニット２０を制御して一部又は全ての前記複数のエアークッションユニット３１に充気又は排気を行わせる。
【００２５】
このうち、前記設定ユニット５３は、ネット接続と、ロックモードと、傾き制御モードと、通常介護モードと、セラピーモードのいずれか二つ以上の組み合わせを有する複数の機能設定部５３２を含んでおり、上記各モードの設定によって異なる部位の前記エアークッションユニット３１に対して充気又は排気を行い、或いはロック又はネット接続等を行い、例えば、前記操作者が前記傾きモードを設定する場合、前記圧力制御装置１０が前記充排気ユニット２０を制御して腰部、肩部及び頭部の前記エアークッションユニット３１に対して充気を行い、且つ尻部と足部の前記エアークッションユニット３１の圧力状態に応じて尻部と足部の前記エアークッションユニット３１に対して排気を行うかどうかと判断し、これにより、前記エアークッションベッド１０が傾き状態の臥床環境を提供できる
。
【００２６】
一方、前記セラピーモードを選択する場合、患者が長期間で臥床の状態になり、自由に体を動けないので、前記セラピーモードが起動した後に、前記充排気ユニット２０は、特定な複数の前記エアークッションユニット３１に対して充気及び排気を循環させて行い、これにより、ユーザーの体を有効に回転でき、更に治療の効果を図る。
【００２７】
また、前記ロックモードは、前記操縦装置５０をロックし、又はそのロックを解除する機能である。
【００２８】
前記圧力スマート制御システムは、資料処理装置６０を更に含み、この資料処理装置６０は、例えばクラウドサーバーであり、前記資料処理装置６０は少なくとも一つの前記圧力制御装置１０に接続され、これにより、前記資料処理装置６０が複数の前記圧力制御装置１０に接続でき、複数の前記圧力制御装置１０のそれぞれからの情報又は信号を受けられ、且つ前記資料処理装置６０から情報又は信号を前記複数の圧力制御装置１０に伝送できる。
【００２９】
前記資料処理装置６０は、資料処理伝送ユニット６１と、資料処理制御ユニット６２と、資料分析ユニット６３とを含み、このうち、前記基本情報４１及び前記圧力モニタリング情報１３１を取るために、前記資料処理伝送ユニット６１と前記圧力制御伝送ユニット１１は互いに接続されており、また、前記基本情報４１及び前記圧力モニタリング情報１３１を取るために、前記資料処理制御ユニット６２と前記資料処理伝送ユニット６１は互いに接続されている。これにより、前記資料処理装置６０が前記圧力制御装置１０（ここでは、例として一つの前記圧力制御装置１０が挙げられる）から前記基本情報４１及び前記圧力モニタリング情報１３１を取る時、前記資料処理伝送ユニット６１によって前記資料処理制御ユニット６２を介して前記資料分析ユニット６３に伝送した後、前記資料分析ユニット６３は、前記圧力モニタリング情報１３１に基づいて計算して前記圧力管理情報６３１を作成する。その後、前記資料分析ユニット６３が前記圧力管理情報６３１を前記資料処理制御ユニット６２に伝送し、更に前記資料処理伝送ユニット６１に伝送した後、最終的に前記資料処理伝送ユニット６１から前記圧力管理情報６３１を前記圧力制御装置１０に伝送する。
【００３０】
上記により、前記圧力制御装置１０が前記圧力管理情報６３１に基づいて、前記充排気ユニット２０が前記エアークッションベッド３０の一つ、一部又は全ての複数前記エアークッションユニット３１に対して充気又は排気を行うように前記充排気ユニット２０を制御する。
【００３１】
なお、前記資料分析ユニット６３には、各時点の前記圧力モニタリング情報１３１からの圧力変化量を記録して同じ圧力変化区間における前記複数の圧力モニタリング情報１３１のそれぞれからの圧力変化量を特定の時間帯にまとめる使用分析モジュール６３２が設けられており、この使用分析モジュール６３２によって、各時点における前記エアークッションベッド３０の使用状態を分析することができる。例えば、前記ユーザーが前記エアークッションベッド３０に横になる場合、前記複数のエアークッションユニット３１のそれぞれは、外部の圧力で圧迫されてその中の圧力が高めることになる一方、前記ユーザーが前記エアークッションベッド３０から離れると、前記複数のエアークッションユニット３１は、前記外部の圧力がなくなることによってその中の圧力が低減することになる。これにより、前記使用分析モジュール６３２は、前記ユーザーが前記エアークッションベッド３０にいる期間を特定な時間帯にまとめて、前記ユーザーが前記エアークッションベッド３０から離れる期間をその他の時間帯にまとめることができ、そうすれば、前記ユーザーが各時点に前記エアークッションベッド３０を使用する状態を分析して統計できる。
【００３２】
前記資料処理装置６０は、モニタリング制御ユニット６４を更に含み、前記圧力モニタリング情報１３１を受けるために、前記モニタリング制御ユニット６４は前記資料処理制御ユニット６２に接続されている。前記モニタリング制御ユニット６４は、前記圧力モニタリング情報１３１からの前記複数のエアークッションユニット３１のそれぞれの圧力状態をモニタリングし、前記複数のエアークッションユニット３１のいずれか一つの圧力状態が異常になる時（例えば、前記複数のエアークッションユニット３１のいずれか一つが孔を有して空気漏れの現象が起こる時）、前記モニタリング制御ユニット６４は、アラーム信号６４１を発生して、管理インターフェースを介して前記アラーム信号６４１を示す。前記モニタリング制御ユニット６４は、更に前記資料処理制御ユニット６２と前記資料処理伝送ユニット６１を介して前記操縦伝送ユニット５１に接続され、更に前記制御ユニット５２に接続され、これにより、前記モニタリング制御ユニット６４は無線又は有線で前記操縦装置５０を操縦することができる。
【００３３】
なお、前記圧力スマート制御システムは、情報伝送モジュール８１と、位置表示モジュール８２と、情報表示モジュール８３と、管理制御モジュール８４とを有し、前記資料処理装置６０に接続される管理装置８０を含み、前記管理装置８０は、前記情報伝送モジュール８１を介して前記資料処理伝送ユニット６１に接続されて前記基本情報４１を取る。また、前記管理装置８０には、前記位置表示モジュール８２及び前記情報表示モジュール８３が設けられている。前記位置表示モジュール８２は、前記基本情報４１における位置情報を受け取って前記位置表示モジュール８２を介してマップ表示インターフェースに表示させ、前記情報表示モジュール８３は、前記基本情報４１におけるユーザーの基本データを受け取って基本データインターフェース上に表示させる。
【００３４】
前記管理制御モジュール８４は、前記エアークッションベッド３０を管理するための傾き制御モード、充排気循環モード、通常介護モード、セラピーモード又はスリープモード、ロックモード、パワースイッチ、空気漏れアラームの少なくとも一つ又は二つ以上の組み合わせを提供し、このうち、前記傾き制御モード、前記通常介護モード、前記セラピーモード及び前記ロックモードのいずれも前記複数の機能設定部５３２と同じ機能を有する。
【００３５】
これにより、操作者が前記操縦装置５０又は前記管理装置８０によって前記エアークッションベッド３０における各前記エアークッションユニット３１の圧力状態を操作でき、更に前記資料処理装置６０で前記エアークッションベッド３０における前記複数のエアークッションユニット３１のそれぞれの圧力状態を分析し、前記圧力制御装置１０で前記エアークッションベッド３０の各部位（エアークッションユニット）の圧力値を制御することによって、ユーザーに更に快適な臥床環境を提供することができる。充排気ユニット２０は、前記エアークッションベッド３０の前記複数のエアークッションユニット３１のそれぞれに対して充気又は排気等を行う。  
【００３６】
上記詳しい説明は、本発明に係る実施例に対する具体的な説明であるが、前記実施例は本発明に係る特許請求の範囲を限定するものではなく、本発明の技術精神から離れない均等的な実施例又は変更例はいずれも本願の特許請求の範囲に含まれている。      
【符号の説明】
【００３７】
１０  圧力制御装置   １１  圧力制御伝送ユニット
１２  圧力制御ユニット      １３  モニタリングユニット
１３１圧力モニタリング情報  ２０  充排気ユニット
３０  エアークッションベッド       ３１  エアークッションユニット
４０  基本情報入力ユニット  ４１  基本情報
５０  操縦装置       ５１  操縦伝送ユニット
５２  制御ユニット   ５３  設定ユニット
５３１設定情報       ５３２機能設定部
６０  資料処理装置   ６１  資料処理伝送ユニット
６２  資料処理制御ユニット  ６３  資料分析ユニット
６３１圧力管理情報   ６３２使用分析モジュール
６４  モニタリング制御ユニット     ６４１アラーム信号
７０  圧力感測ユニット      ８０  管理装置
８１  情報伝送モジュール    ８２  位置表示モジュール
８３  情報表示モジュール    ８４  管理制御モジュール
【図１】
2020068877.tif 000003
【図２】
2020068877.tif 000004
【図３】
2020068877.tif 000005
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
それぞれ複数の充排気ユニットに接続されることによって充気又は排気を独立で行え、且ついずれも現時点の圧力値を測定するための圧力感測ユニットを有する複数のエアークッションユニットが設けられるエアークッションベッドと、
前記複数の充排気ユニット及び前記複数の圧力感測ユニットに接続され、前記充排気ユニットの動きを制御して前記複数のエアークッションユニットの圧力値を調整し、且つ前記複数のエアークッションユニットの圧力値を示す圧力モニタリング情報を作成する圧力制御装置と、
前記複数の充排気ユニット及び前記複数の圧力感測ユニットに接続され、前記充排気ユ ニットの動きを制御して前記複数のエアークッションユニットの圧力値を調整し、且つ前 記複数のエアークッションユニットの圧力値を示す圧力モニタリング情報を作成し、前記圧力モニタリング情報を制御システム本体の位置情報とユーザーの身体情報とを含む基本情報とともに外部に発送する圧力制御装置と、
前記圧力制御装置に接続され、前記基本情報及び前記圧力モニタリング情報を取り込むと共に、前記圧力モニタリング情報に基づいて前記圧力制御装置が前記充排気ユニットを制御するための圧力管理情報を作成する資料処理装置とを含み、
前記圧力制御装置は、前記圧力管理情報に基づいて前記充排気ユニットの圧力値を調整することを特徴とするエアークッションベッドの制御システム。
【請求項２】
前記圧力制御装置は、
設定ユニットに接続され、前記基本情報及び前記圧力感測ユニットが感知した前記複数のエアークッションユニットの現時点の圧力状態を受けて、前記基本情報を外部に伝送する圧力制御伝送ユニットと、
前記圧力感測ユニットが感知した前記複数のエアークッションユニットの現時点の圧力状態を受けるように前記圧力制御伝送ユニットに接続され、且つ前記エアークッションベッドに対する前記充排気ユニットの充気又は排気を制御するように前記充排気ユニットに接続される圧力制御ユニットと、
前記圧力制御ユニットに接続されることによって前記複数のエアークッションユニットの現時点の圧力状態を受けると共に、前記複数のエアークッションユニットの圧力状態に基づいて圧力モニタリング情報を作成して前記圧力制御ユニットに発送するモニタリングユニットとを更に含み、
前記圧力制御ユニットは、前記圧力モニタリング情報を前記圧力制御伝送ユニットに伝送し、前記圧力制御伝送ユニットが更に前記圧力モニタリング情報を外部に伝送する請求項１に記載のエアークッションベッドの制御システム。
【請求項３】
前記圧力制御装置に接続され、前記圧力制御装置を介して前記圧力制御ユニットに接続される前記充排気ユニットを操縦して前記複数のエアークッションユニットのそれぞれの圧力値を調整する操縦装置を更に含む請求項２に記載のエアークッションベッドの制御システム。
【請求項４】
前記操縦装置は、
エアークッションベッドの操作者によって設定される、前記圧力制御装置が前記充排気ユニットを制御するための設定情報を前記圧力制御伝送ユニットに伝送する操縦伝送ユニットと、
操作者の設定によって前記設定情報を作成する設定ユニットと、
前記設定ユニットに接続されて前記設定情報を受けると共に、前記操縦伝送ユニットに接続されて前記設定情報を前記操縦伝送ユニットに伝送する制御ユニットとを更に含み、
前記圧力制御装置は、前記設定情報に基づいて前記複数の充排気ユニットの圧力値を制御する請求項３に記載のエアークッションベッドの制御システム。
【請求項５】
前記設定ユニットは、使用者の操作によって前記設定情報を作成する複数の機能設定部を更に含む、請求項４に記載のエアークッションベッドの制御システム。
【請求項６】
前記資料処理装置は、
前記圧力制御伝送ユニットに接続されて前記基本情報及び前記圧力モニタリング情報を取る資料処理伝送ユニットと、
前記資料処理伝送ユニットに接続されて前記基本情報及び前記圧力モニタリング情報を取る資料処理制御ユニットと、
前記資料処理制御ユニットに接続されて前記基本情報及び前記圧力モニタリング情報を取る資料分析ユニットを更に含み、
前記資料分析ユニットは、前記圧力モニタリング情報に基づいて計算を行って前記圧力管理情報を作成し、更に前記圧力管理情報を前記資料処理制御ユニットを介して前記資料処理伝送ユニットに伝送し、次いで前記資料処理伝送ユニットから前記圧力管理情報を前記圧力制御装置に伝送する請求項４に記載のエアークッションベッドの制御システム。
【請求項７】
前記資料処理装置は、
前記資料処理制御ユニット及び資料処理伝送ユニットに接続されて前記圧力モニタリング情報を受けるモニタリング制御ユニットを更に含む請求項６に記載のエアークッションベッドの制御システム。
【請求項８】
前記資料分析ユニットは、
各時点における前記圧力モニタリング情報からの圧力変化量を記録し、同じ圧力変化区間における複数の前記圧力モニタリング情報が特定の時間帯での変化を分析し、前記エアークッションベッドが異なる時間帯での使用状態を作成する使用分析モジュールを更に含む請求項６に記載のエアークッションベッドの制御システム。
【請求項９】
それぞれ複数の充排気ユニットに接続されることによって充気又は排気を独立で行え、且ついずれも現時点の圧力値を測定するための圧力感測ユニットを有する複数のエアークッションユニットが設けられるエアークッションベッドと、
前記複数の充排気ユニット及び前記複数の圧力感測ユニットに接続され、前記充排気ユニットの動きを制御して前記複数のエアークッションユニットの圧力値を調整し、且つ前記複数のエアークッションユニットの圧力値に基づいて圧力モニタリング情報を作成し、前記圧力モニタリング情報を自身における基本情報とともに外部に発送する圧力制御装置と、
前記圧力制御装置に接続され、前記基本情報及び前記圧力モニタリング情報を取り込むと共に、前記圧力モニタリング情報に基づいて圧力管理情報を作成する資料処理装置と、
前記基本情報と、圧力モニタリング情報と、圧力管理情報とを受ける情報伝送モジュールと、制御システム本体の位置情報を取り込んで管理装置のマップ表示インターフェースに表示させる位置表示モジュールと、前記基本情報内所設のユーザーの基本データを取り込んで管理装置の基本データインターフェースに表示させる情報表示モジュールを有し、前記資料処理装置に接続される管理装置とを含み、
前記圧力制御装置は、前記圧力管理情報に基づいて前記充排気ユニットの圧力値を調整するエアークッションベッドの制御システム。
【請求項１０】
前記資料処理装置は、
前記圧力制御伝送ユニットに接続されて前記基本情報及び前記圧力モニタリング情報を取る資料処理伝送ユニットと、
前記資料処理伝送ユニットに接続されて前記基本情報及び前記圧力モニタリング情報を取る資料処理制御ユニットと、
前記資料処理制御ユニットに接続されて前記基本情報及び前記圧力モニタリング情報を取り、前記圧力モニタリング情報に基づいて計算を行って前記圧力管理情報を作成し、更に前記圧力管理情報を前記資料処理制御ユニットを介して前記資料処理伝送ユニットに伝送し、次いで前記資料処理伝送ユニットから前記圧力管理情報を前記圧力制御装置に伝送する資料分析ユニットと、を更に含む請求項９に記載のエアークッションベッドの制御システム。
【請求項１１】
前記資料処理装置は、
前記資料処理制御ユニット及び資料処理伝送ユニットに接続されて前記圧力モニタリング情報を受けるモニタリング制御ユニットを更に含む請求項１０に記載のエアークッションベッドの制御システム。
【請求項１２】
前記資料分析ユニットは、
各時点における前記圧力モニタリング情報からの圧力変化量を記録し、同じ圧力変化区間における複数の前記圧力モニタリング情報が特定の時間帯での変化を分析し、前記エアークッションベッドが異なる時間帯での使用状態を作成する使用分析モジュールを更に含む請求項１０に記載のエアークッションベッドの制御システム。